(57)【要約】【課題】表示画面における複数の分割領域への分割を一時的に解除した後に、再び元の複数の分割領域と各分割領域に表示されていた操作画面を自動的に復元することが可能な画面分割表示装置、それを備えた測定装置、及び画面分割表示方法を提供する。【解決手段】操作部１４により複数の機能ブロックのいずれかが選択された場合に、操作部１４により選択された機能ブロックに対応する操作画面を表示画面の分割を解除した状態で所定時間だけ表示部１２に表示させるとともに、操作部１４により選択された機能ブロックに対応する設定項目の表示領域を強調表示させる設定項目強調表示制御部１３ａと、上記所定時間の経過後に、複数の分割領域に表示されていた全ての操作画面を復元するとともに、操作部１４により選択された操作画面を強調表示させる操作画面強調表示制御部１３ｂと、を含む。【選択図】図１
2019082589.tif 000002
【特許請求の範囲】
【請求項１】
測定装置（１００，１１０，１２０）が有する複数の測定モジュール（Ｍ）のそれぞれに関連付けられた複数の設定項目を設定可能に表示する複数の操作画面（２１）を表示可能な表示部（１２）と、前記表示部の表示内容を制御する表示制御部（１３）と、前記表示部に表示された表示内容に対する操作を受け付ける操作部（１４）と、を備える画面分割表示装置（１０）であって、
前記表示制御部は、
前記操作部への操作に応じて前記複数の測定モジュールの中から前記操作画面を呼び出すべき測定モジュールを選択するための測定モジュール選択手段（２２）を前記表示部に表示させ、
前記測定モジュール選択手段により選択された前記測定モジュールの前記操作画面を、前記表示部の表示画面（２０）が複数に分割されてなる分割領域のいずれかに表示させ、
前記複数の測定モジュールの複数の機能ブロックを前記操作部により選択可能に表示する機能ブロック表示画面（２５）を呼び出すための機能ブロック表示ボタン（２４）を前記表示部に表示させ、
前記操作部により前記機能ブロック表示ボタンが押下された場合に、前記機能ブロック表示画面を前記表示部に表示させ、
前記操作部により前記複数の機能ブロックのいずれかが選択された場合に、前記機能ブロック表示画面を消去して、前記操作部により選択された前記機能ブロックに対応する前記設定項目を含む前記操作画面を前記表示画面の分割を解除した状態で所定時間だけ前記表示部に表示させるとともに、前記操作部により選択された前記機能ブロックに対応する前記設定項目の表示領域（２６）を強調表示させる設定項目強調表示制御部（１３ａ）と、
前記所定時間の経過後に、前記複数の分割領域に表示されていた全ての前記操作画面を復元するとともに、前記操作部により選択された前記機能ブロックに対応する前記設定項目を含む前記操作画面を強調表示させる操作画面強調表示制御部（１３ｂ）と、を含むことを特徴とする画面分割表示装置。
【請求項２】
前記表示制御部は、前記操作画面強調表示制御部により強調表示された前記操作画面において、前記操作部により選択された前記機能ブロックに対応する前記設定項目が表示されるように前記操作画面をスクロールすることを特徴とする請求項１に記載の画面分割表示装置。
【請求項３】
前記設定項目強調表示制御部による前記表示領域の強調表示は点滅表示であることを特徴とする請求項１又は請求項２に記載の画面分割表示装置。
【請求項４】
前記操作画面強調表示制御部による前記操作画面の強調表示は、前記操作部により選択された前記機能ブロックに対応する前記設定項目を含む前記操作画面の表示枠（２７）の位置に向けて、前記表示枠よりもサイズの大きい枠状画像（２８）を漸次縮小するアニメーション表示であることを特徴とする請求項１から請求項３のいずれかに記載の画面分割表示装置。
【請求項５】
前記操作画面は、各前記測定モジュールに入力される電気信号を測定するため、又は、各前記測定モジュールから所望の電気信号を出力するために必要な測定パラメータを前記設定項目において設定可能にすることを特徴とする請求項１から請求項４のいずれかに記載の画面分割表示装置。
【請求項６】
前記操作部は、前記表示部の前記表示画面の表面に設けられたタッチパネルで構成されることを特徴とする請求項１から請求項５のいずれかに記載の画面分割表示装置。
【請求項７】
請求項１から請求項６のいずれかに記載の画面分割表示装置と、
複数の測定モジュールを実装するための複数のスロット（ＳＬ１〜ＳＬｎ）と、を備えることを特徴とする測定装置。
【請求項８】
前記複数の測定モジュールのうちの少なくとも２つは、被試験対象（２００）に入力するためのパルスパターンを発生させるパルスパターン発生器（１８）と、前記パルスパターンの入力に伴って前記被試験対象から出力される被測定信号と前記パルスパターンとを比較して、前記被測定信号の誤りを検出する誤り検出器（１７）であることを特徴とする請求項７に記載の測定装置。
【請求項９】
前記複数の測定モジュールのうちの少なくとも２つは、被試験対象（２００）に入力するための試験信号を発生させる信号発生器（４１）と、前記試験信号の入力に伴って前記被試験対象から出力される被測定信号を解析する信号解析装置（４２）であることを特徴とする請求項７に記載の測定装置。
【請求項１０】
測定装置（１００，１１０，１２０）が有する複数の測定モジュール（Ｍ）のそれぞれに関連付けられた複数の設定項目を設定可能に表示する複数の操作画面（２１）を表示可能な表示部（１２）と、前記表示部の表示内容を制御する表示制御部（１３）と、前記表示部に表示された表示内容に対する操作を受け付ける操作部（１４）と、を備える画面分割表示装置（１０）を用いる画面分割表示方法であって、
前記操作部への操作に応じて前記複数の測定モジュールの中から前記操作画面を呼び出すべき測定モジュールを選択するための測定モジュール選択手段（２２）を前記表示部に表示させるステップ（Ｓ１）と、
前記複数の測定モジュールの複数の機能ブロックを前記操作部により選択可能に表示する機能ブロック表示画面（２５）を呼び出すための機能ブロック表示ボタン（２４）を前記表示部に表示させるステップ（Ｓ１）と、
前記測定モジュール選択手段により選択された前記測定モジュールの前記操作画面を、前記表示部の表示画面（２０）が複数に分割されてなる分割領域のいずれかに表示させるステップ（Ｓ２）と、
前記操作部により前記機能ブロック表示ボタンが押下された場合に、前記機能ブロック表示画面を前記表示部に表示させるステップ（Ｓ４）と、
前記操作部により前記複数の機能ブロックのいずれかが選択された場合に、前記機能ブロック表示画面を消去して、前記操作部により選択された前記機能ブロックに対応する前記設定項目を含む前記操作画面を前記表示画面の分割を解除した状態で所定時間だけ前記表示部に表示させるとともに、前記操作部により選択された前記機能ブロックに対応する前記設定項目の表示領域（２６）を強調表示させる設定項目強調表示制御ステップ（Ｓ６，Ｓ７）と、
前記所定時間の経過後に、前記複数の分割領域に表示されていた全ての前記操作画面を復元するとともに、前記操作部により選択された前記機能ブロックに対応する前記設定項目を含む前記操作画面を強調表示させる操作画面強調表示制御ステップ（Ｓ８）と、を含むことを特徴とする画面分割表示方法。
【発明の詳細な説明】
【技術分野】
【０００１】
本発明は、画面分割表示装置、それを備えた測定装置、及び画面分割表示方法に関し、特に、測定装置が有する複数の測定モジュールにそれぞれ対応した操作画面を表示するための画面分割表示装置、それを備えた測定装置、及び画面分割表示方法に関する。
【背景技術】
【０００２】
近年、通信システムは高速化の一途をたどっており、通信システムを構成する電子機器や通信機器の高性能化が進んでいる。このような高速の通信システムに対応した機器の品質評価に際しては、擬似ランダムビット系列などのパルスパターンを用いた誤り検出装置による試験が広く行われている。
【０００３】
誤り検出装置は、パルスパターンを被試験対象（Device Under Test：ＤＵＴ）となる機器に送信し、送信したパルスパターンとＤＵＴから返送されたパルスパターンとを比較してビットの誤りを検出する装置である（例えば、特許文献１参照）。
【０００４】
上記のような従来の誤り検出装置は、パルスパターン発生器のモジュールと誤り検出器のモジュールとをそれぞれ複数備えており、それらをマルチプレクサやデマルチプレクサと組み合わせることで、高ビットレートのパルスパターンによる誤り検出を実行することが可能になっている。
【０００５】
また、従来の誤り検出装置においては、複数のモジュールごとに測定パラメータの設定などを行うための操作画面が用意されている。これらの操作画面は、表示装置の表示画面に１画面表示されるだけでなく、表示画面の複数に分割された分割領域のうちのいずれかに表示させることも可能である。
【０００６】
また、従来の誤り検出装置は、所望の機能を実現するための操作画面とその設定項目を特定する操作が可能になっており、そのような操作がユーザにより行われた際に、表示画面の分割を解除して特定された操作画面を１画面表示する。これは、表示画面が分割されている状態では、所望の設定項目がスクロールにより隠れてしまう虞があるためである。
【先行技術文献】
【特許文献】
【０００７】
【特許文献１】特開２０１４−６８１７９号公報
【発明の概要】
【発明が解決しようとする課題】
【０００８】
しかしながら、特許文献１に開示されたような従来の誤り検出装置において、特定の操作画面の１画面表示後に表示画面が分割された元の状態に戻すためには、複数の分割領域の分割数及び分割形状の設定や、各分割領域に表示させる操作画面の指定をユーザ自身が一からやり直す必要があった。このため、ユーザに対して煩雑な操作を強いることになり、結果として、特定された設定項目をユーザが見失いやすくなるという問題があった。
【０００９】
本発明は、このような従来の課題を解決するためになされたものであって、表示画面における複数の分割領域への分割を一時的に解除した後に、再び元の複数の分割領域と各分割領域に表示されていた操作画面を自動的に復元することが可能な画面分割表示装置、それを備えた測定装置、及び画面分割表示方法を提供することを目的とする。
【課題を解決するための手段】
【００１０】
上記課題を解決するために、本発明に係る画面分割表示装置は、測定装置が有する複数の測定モジュールのそれぞれに関連付けられた複数の設定項目を設定可能に表示する複数の操作画面を表示可能な表示部と、前記表示部の表示内容を制御する表示制御部と、前記表示部に表示された表示内容に対する操作を受け付ける操作部と、を備える画面分割表示装置であって、前記表示制御部は、前記操作部への操作に応じて前記複数の測定モジュールの中から前記操作画面を呼び出すべき測定モジュールを選択するための測定モジュール選択手段を前記表示部に表示させ、前記測定モジュール選択手段により選択された前記測定モジュールの前記操作画面を、前記表示部の表示画面が複数に分割されてなる分割領域のいずれかに表示させ、前記複数の測定モジュールの複数の機能ブロックを前記操作部により選択可能に表示する機能ブロック表示画面を呼び出すための機能ブロック表示ボタンを前記表示部に表示させ、前記操作部により前記機能ブロック表示ボタンが押下された場合に、前記機能ブロック表示画面を前記表示部に表示させ、前記操作部により前記複数の機能ブロックのいずれかが選択された場合に、前記機能ブロック表示画面を消去して、前記操作部により選択された前記機能ブロックに対応する前記設定項目を含む前記操作画面を前記表示画面の分割を解除した状態で所定時間だけ前記表示部に表示させるとともに、前記操作部により選択された前記機能ブロックに対応する前記設定項目の表示領域を強調表示させる設定項目強調表示制御部と、前記所定時間の経過後に、前記複数の分割領域に表示されていた全ての前記操作画面を復元するとともに、前記操作部により選択された前記機能ブロックに対応する前記設定項目を含む前記操作画面を強調表示させる操作画面強調表示制御部と、を含む構成である。
【００１１】
この構成により、本発明に係る画面分割表示装置は、複数の分割領域に各測定モジュールの操作画面が表示されている状態から、機能ブロック表示画面において操作部により機能ブロックが選択されると、表示画面における複数の分割領域への分割を一時的に解除して、その機能ブロックに対応する設定項目を含む操作画面を１画面表示する。これにより、本発明に係る画面分割表示装置は、所望の設定項目を表示画面上に確実に表示することができる。
【００１２】
また、本発明に係る画面分割表示装置は、操作画面の１画面表示から所定時間の経過後に、再び元の複数の分割領域と各分割領域に表示されていた操作画面を自動的に復元することができる。
【００１３】
また、本発明に係る画面分割表示装置は、１画面表示された操作画面において、操作部により選択された機能ブロックに対応する設定項目の表示領域を強調表示させるため、所望の機能ブロックの設定項目がどの操作画面内のどこにあるかをユーザに分かりやすく示すことができる。
【００１４】
また、本発明に係る画面分割表示装置は、分割領域の復元後に、操作部により選択された機能ブロックに対応する設定項目を含む操作画面を強調表示させるため、所望の機能ブロックの設定項目がどの操作画面にあるかをユーザに分かりやすく示すことができる。
【００１５】
また、本発明に係る画面分割表示装置においては、前記表示制御部は、前記操作画面強調表示制御部により強調表示された前記操作画面において、前記操作部により選択された前記機能ブロックに対応する前記設定項目が表示されるように前記操作画面をスクロールする構成であってもよい。
【００１６】
この構成により、本発明に係る画面分割表示装置は、分割領域の復元後に強調表示された操作画面２１において、ユーザに対して所望の設定項目を見失わせることを回避する画面表示を行うことができる。
【００１７】
また、本発明に係る画面分割表示装置においては、前記設定項目強調表示制御部による前記表示領域の強調表示は点滅表示であってもよい。
【００１８】
この構成により、本発明に係る画面分割表示装置は、操作部により選択された機能ブロックに対応する設定項目の表示領域を効果的に強調表示することができる。
【００１９】
また、本発明に係る画面分割表示装置においては、前記操作画面強調表示制御部による前記操作画面の強調表示は、前記操作部により選択された前記機能ブロックに対応する前記設定項目を含む前記操作画面の表示枠の位置に向けて、前記表示枠よりもサイズの大きい枠状画像を漸次縮小するアニメーション表示であってもよい。
【００２０】
この構成により、本発明に係る画面分割表示装置は、操作部により選択された機能ブロックに対応する設定項目を含む操作画面を効果的に強調表示することができる。
【００２１】
また、本発明に係る画面分割表示装置においては、前記操作画面は、各前記測定モジュールに入力される電気信号を測定するため、又は、各前記測定モジュールから所望の電気信号を出力するために必要な測定パラメータを前記設定項目において設定可能にする構成であってもよい。
【００２２】
この構成により、本発明に係る画面分割表示装置は、測定装置が有する複数の測定モジュールごとに、測定パラメータを設定することができる。
【００２３】
また、本発明に係る画面分割表示装置においては、前記操作部は、前記表示部の前記表示画面の表面に設けられたタッチパネルで構成されていてもよい。
【００２４】
この構成により、本発明に係る画面分割表示装置は、装置の小型化を図れるとともに、良好な操作性を得ることができる。
【００２５】
また、本発明に係る測定装置は、上記のいずれかの画面分割表示装置と、複数の測定モジュールを実装するための複数のスロットと、を備える構成である。
【００２６】
この構成により、本発明に係る測定装置は、測定試験に応じて、測定モジュールを適宜組み合わせて実装することを可能にする。
【００２７】
また、本発明に係る測定装置においては、前記複数の測定モジュールのうちの少なくとも２つは、被試験対象に入力するためのパルスパターンを発生させるパルスパターン発生器と、前記パルスパターンの入力に伴って前記被試験対象から出力される被測定信号と前記パルスパターンとを比較して、前記被測定信号の誤りを検出する誤り検出器であってもよい。
【００２８】
この構成により、本発明に係る測定装置は、被試験対象から出力される被測定信号に対して誤り率測定を実行することができる。
【００２９】
また、本発明に係る測定装置においては、前記複数の測定モジュールのうちの少なくとも２つは、被試験対象に入力するための試験信号を発生させる信号発生器と、前記試験信号の入力に伴って前記被試験対象から出力される被測定信号を解析する信号解析装置であってもよい。
【００３０】
この構成により、本発明に係る測定装置は、被試験対象から出力される被測定信号に対して、品質評価を実行することができる。
【００３１】
上記課題を解決するために、本発明に係る画面分割表示方法は、測定装置が有する複数の測定モジュールのそれぞれに関連付けられた複数の設定項目を設定可能に表示する複数の操作画面を表示可能な表示部と、前記表示部の表示内容を制御する表示制御部と、前記表示部に表示された表示内容に対する操作を受け付ける操作部と、を備える画面分割表示装置を用いる画面分割表示方法であって、前記操作部への操作に応じて前記複数の測定モジュールの中から前記操作画面を呼び出すべき測定モジュールを選択するための測定モジュール選択手段を前記表示部に表示させるステップと、前記複数の測定モジュールの複数の機能ブロックを前記操作部により選択可能に表示する機能ブロック表示画面を呼び出すための機能ブロック表示ボタンを前記表示部に表示させるステップと、前記測定モジュール選択手段により選択された前記測定モジュールの前記操作画面を、前記表示部の表示画面が複数に分割されてなる分割領域のいずれかに表示させるステップと、前記操作部により前記機能ブロック表示ボタンが押下された場合に、前記機能ブロック表示画面を前記表示部に表示させるステップと、前記操作部により前記複数の機能ブロックのいずれかが選択された場合に、前記機能ブロック表示画面を消去して、前記操作部により選択された前記機能ブロックに対応する前記設定項目を含む前記操作画面を前記表示画面の分割を解除した状態で所定時間だけ前記表示部に表示させるとともに、前記操作部により選択された前記機能ブロックに対応する前記設定項目の表示領域を強調表示させる設定項目強調表示制御ステップと、前記所定時間の経過後に、前記複数の分割領域に表示されていた全ての前記操作画面を復元するとともに、前記操作部により選択された前記機能ブロックに対応する前記設定項目を含む前記操作画面を強調表示させる操作画面強調表示制御ステップと、を含む。
【００３２】
この構成により、本発明に係る画面分割表示方法は、表示画面における複数の分割領域への分割を一時的に解除した後に、再び元の複数の分割領域と各分割領域に表示されていた操作画面を自動的に復元することができる。
【発明の効果】
【００３３】
本発明は、表示画面における複数の分割領域への分割を一時的に解除した後に、再び元の複数の分割領域と各分割領域に表示されていた操作画面を自動的に復元することが可能な画面分割表示装置、それを備えた測定装置、及び画面分割表示方法を提供するものである。
【図面の簡単な説明】
【００３４】
【図１】本発明の一実施形態に係る画面分割表示装置の構成を示すブロック図である。
【図２】本発明の一実施形態に係る誤り検出装置の構成を示すブロック図である。
【図３】本発明の一実施形態に係る誤り検出装置における表示部の表示例である。
【図４】機能ブロック表示ボタンが押下されて機能ブロック表示画面が表示されたときの表示部の表示例である。
【図５】操作部により選択された機能ブロックに対応する設定項目を含む操作画面が１画面表示されたときの表示部の表示例である。
【図６】複数の分割領域に表示されていた全ての操作画面が復元されたときの表示部の表示例である。
【図７】操作部により選択された機能ブロックに対応する設定項目を含む操作画面が分割領域において強調表示されたときの表示部の表示例である。
【図８】本発明の一実施形態に係る無線端末測定装置の構成を示すブロック図である。
【図９】本発明の一実施形態に係る画面分割表示装置による画面分割表示方法の処理を示すフローチャートである。
【発明を実施するための形態】
【００３５】
以下、本発明に係る画面分割表示装置、それを備えた測定装置、及び画面分割表示方法の実施形態について、図面を用いて説明する。
【００３６】
図１に示すように、本実施形態に係る画面分割表示装置１０は、測定装置１００に備えられている。画面分割表示装置１０は、測定装置１００の測定部１１が有する複数の測定モジュールＭ（Ｍａ〜Ｍｅ）のそれぞれに関連付けられた複数の設定項目を設定可能に表示する複数の操作画面を表示可能な表示部１２と、表示部１２の表示内容を制御する表示制御部としての制御部１３と、表示部１２に表示された表示内容に対する操作を受け付ける操作部１４と、を備える。さらに、制御部１３は、設定項目強調表示制御部１３ａと、操作画面強調表示制御部１３ｂと、を含む。
【００３７】
表示部１２は、例えばＬＣＤやＣＲＴなどの表示機器で構成され、制御部１３から出力される制御信号に応じて、各測定モジュールＭに対応した設定項目や測定結果などの各種表示内容を表示するようになっている。さらに、表示部１２は、設定項目のパラメータなどを設定するためのボタン、ソフトキー、プルダウンメニュー、テキストボックスなどの操作対象を表示するものであってもよい。
【００３８】
制御部１３は、例えばＣＰＵ、ＲＯＭ、ＲＡＭ、ＨＤＤなどを含むマイクロコンピュータ又はパーソナルコンピュータ等で構成され、測定装置１００を構成する上記各部の動作を制御する。なお、制御部１３は、ＦＰＧＡ（Field Programmable Gate Array）やＡＳＩＣ（Application Specific Integrated Circuit）などのディジタル回路で構成することも可能である。あるいは、制御部１３は、ディジタル回路によるハードウェア処理と、ＣＰＵによるソフトウェア処理と、を適宜組み合わせて構成することも可能である。
【００３９】
操作部１４は、ユーザによる操作入力を行うためのものであり、例えば表示部１２の表示画面の表面に設けられたタッチパネルで構成される。あるいは、操作部１４は、キーボード又はマウスのような入力デバイスを含んで構成されてもよい。
【００４０】
測定装置１００は、その筐体に複数の測定モジュールＭを実装するための複数のスロットＳＬ１〜ＳＬｎが設けられている。複数の測定モジュールＭは、各スロットＳＬ１〜ＳＬｎと着脱可能に構成されている。なお、図１には複数のスロットの個数ｎが８である例を示しているが、本発明はこれに限定されず、スロットの個数ｎは２以上の整数であればよい。また、図１には８つのスロットＳＬ１〜ＳＬ８に実装された測定モジュールＭの個数が５である例を示しているが、本発明はこれに限定されず、複数のスロットに実装される測定モジュールの個数は２以上であればよい。
【００４１】
例えば図１及び図２に示すように、スロットＳＬ２に実装された測定モジュールＭａはシンセサイザ（Ｓｙｎｔｈｅ）１５、スロットＳＬ４に実装された測定モジュールＭｂはジッタ変調源（Ｊｉｔｔｅｒ）１６、スロットＳＬ６に実装された測定モジュールＭｃは誤り検出器（ＳＩ ＥＤ）１７、スロットＳＬ７に実装された測定モジュールＭｄはパルスパターン発生器（ＳＩ ＰＰＧ）１８、スロットＳＬ８に実装された測定モジュールＭｅはノイズ発生源１９である。残りのスロットＳＬ１，ＳＬ３，ＳＬ５は空となっている。これらの測定モジュールＭにより、図２に示すような誤り検出装置１１０が構成される。
【００４２】
ＤＵＴ２００は、ノイズ発生源１９からの試験信号の入力に伴ってＤＵＴ２００から出力される被測定信号を、誤り検出器１７に出力するように配置される。ＤＵＴ２００が対応する規格の例としては、PCI Express（登録商標）、ＵＳＢ（登録商標）（Universal Serial Bus）、ＣＥＩ（Common Electrical Interface）、Ethernet（登録商標）、InfiniBandなどが挙げられる。
【００４３】
ジッタ変調源１６は、シンセサイザ１５が生成するクロックに所望のジッタを付加してジッタクロックを発生させるようになっている。
【００４４】
パルスパターン発生器１８は、ＤＵＴ２００に入力するためのパルスパターンを発生させるものである。例えば、パルスパターン発生器１８は、ジッタ変調源１６から入力されたジッタクロックを用いて、２ｎ−１のビット周期を有する擬似ランダムビット系列などのパルスパターンを発生させ、発生させたパルスパターンをノイズ発生源１９に出力するようになっている。
【００４５】
ノイズ発生源１９は、パルスパターン発生器１８から出力されたパルスパターンにジッタや電圧ノイズを加えたストレス信号、又は、パルスパターン発生器１８から出力されたパルスパターンそのものを試験信号としてＤＵＴ２００に出力するようになっている。
【００４６】
誤り検出器１７は、ＤＵＴ２００からの被測定信号と試験信号とを比較して、被測定信号のビット誤り率を検出するようになっている。
【００４７】
なお、パルスパターン発生器１８及び誤り検出器１７をそれぞれスロットＳＬ１〜ＳＬｎに複数個実装して、それらをマルチプレクサやデマルチプレクサと組み合わせることにより、更に高ビットレートでの誤り検出を実行することも可能である。
【００４８】
図３等に示すように、制御部１３は、ユーザによる操作部１４への操作に応じて、複数のスロットＳＬ１〜ＳＬｎのいずれかに実装された複数の測定モジュールＭの中から操作画面２１を呼び出すべき測定モジュールを選択するためのスロットキー２２を、表示部１２の表示画面２０に表示させるようになっている。ここで、スロットキー２２は測定モジュール選択手段を構成する。
【００４９】
操作画面２１は、例えば、測定装置１００が有する各測定モジュールＭに入力される電気信号を測定するため、又は、各測定モジュールＭから所望の電気信号を出力するために必要な測定パラメータを設定項目において設定可能にする。この操作画面２１は、複数の測定モジュールＭごとに用意されている。
【００５０】
スロットキー２２は、ユーザによる操作部１４への操作により押下されてオン状態となることで、対応するスロットＳＬ１〜ＳＬｎに実装された測定モジュールＭの操作画面２１を呼び出すためのキーである。さらに、オン状態のスロットキー２２が再押下されてオフ状態となると、対応するスロットに実装された測定モジュールＭの操作画面を閉じることができるようになっていてもよい。
【００５１】
また、制御部１３は、スロットキー２２のいずれかの押下状態がオンになると、表示画面２０が複数に分割されてなる複数の分割領域のいずれかに、スロットキー２２により選択された測定モジュールＭの操作画面２１を表示させるようになっている。
【００５２】
また、制御部１３は、操作部１４への操作に応じて表示画面２０を複数の分割領域に分割する際の分割数及び分割形状を設定したり、複数に分割された表示画面２０の分割を解除して１画面表示を行ったりするための手段を呼び出す画面分割ボタン２３を表示部１２に表示制御するようになっている。なお、各分割領域のサイズは均等であってもそうでなくてもよい。
【００５３】
図３は、スロットキー２２によりスロットＳＬ２，ＳＬ４，ＳＬ６，ＳＬ７が選択されたことにより、シンセサイザ１５、ジッタ変調源１６、誤り検出器１７、及びパルスパターン発生器１８の操作画面２１が表示部１２の４つの分割領域にそれぞれ表示されている状況を示している。なお、表示画面２０の分割数は上述の４に限らず、２や３やその他の値であってもよい。
【００５４】
また、制御部１３は、複数の測定モジュールＭの複数の機能ブロックを操作部１４により選択可能に表示する機能ブロック表示画面を呼び出すための機能ブロック表示ボタン２４を表示部１２に表示させるようになっている。制御部１３は、操作部１４により機能ブロック表示ボタン２４が押下された場合に、図４に示すように機能ブロック表示画面２５を表示部１２に表示させる。
【００５５】
なお、機能ブロック表示画面２５が表示部１２に表示されている状態で、操作部１４により機能ブロック表示ボタン２４が再押下された場合には、制御部１３は、機能ブロック表示画面２５を消去して、複数の分割領域に表示されていた全ての操作画面２１を復元する。
【００５６】
制御部１３の設定項目強調表示制御部１３ａは、操作部１４により複数の機能ブロックのいずれかが選択された場合に、機能ブロック表示画面２５を消去して、操作部１４により選択された機能ブロックに対応する設定項目を含む操作画面２１を表示画面２０の分割を解除した状態で所定時間だけ表示部１２に表示させる。例えば、図４に示すように機能ブロック表示画面２５においてジッタ変調源１６の機能ブロックＳＪ１が選択されると、図５に示すようにジッタ変調源１６の機能ブロックＳＪ１に関する設定項目を含む操作画面２１が１画面表示される。
【００５７】
さらに、図５に示すように、設定項目強調表示制御部１３ａは、操作部１４により選択された機能ブロックに対応する設定項目の表示領域２６を所定時間だけ強調表示させるようになっている。なお、設定項目強調表示制御部１３ａによる設定項目の表示領域２６の強調表示は、例えば点滅表示である。例えば、機能ブロック表示画面２５においてジッタ変調源１６の機能ブロックＳＪ１が選択されたことにより、図５に示すようにジッタ変調源１６の機能ブロックＳＪ１に関する設定項目の表示領域２６が点滅表示される。
【００５８】
なお、設定項目強調表示制御部１３ａによる強調表示は、上記の点滅表示に限定されず、設定項目の文字色の変更、設定項目の表示領域２６の色彩やコントラストの変更などであってもよい。
【００５９】
制御部１３の操作画面強調表示制御部１３ｂは、上記の所定時間の経過後に、複数の分割領域に表示されていた全ての操作画面２１を図６に示すように復元するとともに、操作部１４により選択された機能ブロックに対応する設定項目を含む操作画面２１を後述のように強調表示させるようになっている。
【００６０】
なお、操作部１４により選択された機能ブロックに対応する設定項目を含む操作画面２１が、表示画面２０の分割が解除される前の状態で表示されていなかった場合には、操作画面強調表示制御部１３ｂは、空いている分割領域のいずれかにその新規の操作画面２１を表示させる。
【００６１】
また、空いている分割領域が存在しない場合には、操作画面強調表示制御部１３ｂは、現在表示されている操作画面２１を幾つか閉じることをユーザに促すメッセージ等を表示部１２に表示させる。ユーザにより現在表示されているいずれかの操作画面２１のスロットキー２２が再押下されると、その操作画面２１が表示されていた分割領域が空く。操作画面強調表示制御部１３ｂは、その空いた分割領域に、操作部１４により選択された機能ブロックに対応する設定項目を含む操作画面２１を表示させる。
【００６２】
あるいは、空いている分割領域が存在しない場合には、操作画面強調表示制御部１３ｂは、ユーザに画面分割ボタン２３の操作により表示画面２０を更に分割することを促すメッセージ等を表示部１２に表示させる。ユーザにより表示画面２０が更に分割されると、操作画面強調表示制御部１３ｂは、現在空いている分割領域のいずれかに、操作部１４により選択された機能ブロックに対応する設定項目を含む操作画面２１を表示させる。
【００６３】
図７に示すように、操作画面強調表示制御部１３ｂによる操作画面２１の強調表示は、操作部１４により選択された機能ブロックに対応する設定項目を含む操作画面２１の表示枠２７（図３等参照）の位置に向けて、当該操作画面２１の表示枠２７よりもサイズの大きい枠状画像２８を漸次縮小するようなアニメーション表示である。また、このアニメーション表示では、枠状画像２８が所定のサイズ（例えば、当該操作画面２１の表示枠２７のサイズ）に到達したら、枠状画像２８が消去されるようになっている。
【００６４】
なお、操作画面強調表示制御部１３ｂによる強調表示は、上記の枠状画像２８を用いた例に限定されず、設定項目強調表示制御部１３ａにより１画面表示された操作画面２１をその表示枠２７のサイズを縮小しつつ、対応する分割領域の位置に移動させるものであってもよい。
【００６５】
また、制御部１３は、操作画面強調表示制御部１３ｂにより強調表示された操作画面２１において、操作部１４により選択された機能ブロックに対応する設定項目が表示されるように、操作画面２１を自動的にスクロールするようになっている。図６は、機能ブロック表示画面２５においてジッタ変調源１６の機能ブロックＳＪ１が選択された場合に、図３に示した状態と比較して、ジッタ変調源１６の機能ブロックＳＪ１に関する設定項目の表示領域２６が操作画面２１の中央部分に近い位置に表示される状況を示している。
【００６６】
また、図３等に示すように、制御部１３は、例えば、測定開始を指定するための測定開始ボタン２９や、測定停止を指定するための測定停止ボタン３０などを、表示部１２の所定領域に表示するようになっている。
【００６７】
なお、測定装置１００は、図２に示した誤り検出装置１１０だけでなく、図８に示すような無線端末測定装置１２０であってもよい。例えば図１において、スロットＳＬ８に測定モジュールＭとして信号発生器４１が実装され、スロットＳＬ６に測定モジュールＭとして信号解析装置としてのシグナルアナライザ４２が実装される。
【００６８】
ここでのＤＵＴ２００は、例えば無線通信アンテナとＲＦ回路を有する無線端末機器や基地局などである。ＤＵＴ２００の通信規格としては、セルラ（ＬＴＥ、ＬＴＥ−Ａ、Ｗ−ＣＤＭＡ（登録商標）、ＧＳＭ（登録商標）、ＣＤＭＡ２０００、１ｘＥＶ−ＤＯ、ＴＤ−ＳＣＤＭＡ等）、無線ＬＡＮ（ＩＥＥＥ８０２．１１ｂ／ｇ／ａ／ｎ／ａｃ／ａｄ等）、Ｂｌｕｅｔｏｏｔｈ（登録商標）、ＧＮＳＳ（ＧＰＳ、Ｇａｌｉｌｅｏ、ＧＬＯＮＡＳＳ、ＢｅｉＤｏｕ等）、ＦＭ、及びディジタル放送（ＤＶＢ−Ｈ、ＩＳＤＢ−Ｔ等）が挙げられる。
【００６９】
信号発生器４１は、ＤＵＴ２００に入力するための試験信号を発生させるものである。例えば、信号発生器４１は、各通信規格の周波数に対応した試験信号を発生させ、発生させた試験信号をＤＵＴ２００に向けて出力するようになっている。
【００７０】
シグナルアナライザ４２は、信号発生器４１からの試験信号の入力に伴ってＤＵＴ２００から出力される被測定信号を解析するようになっている。例えば、シグナルアナライザ４２により、周波数、占有帯域幅、帯域内周波数特性、隣接チャネル漏洩電力、スプリアス放射等の無線信号の品質を評価するための測定を行うことができる。
【００７１】
なお、上記の試験信号は、本実施形態の無線端末測定装置１２０に対してＤＵＴ２００を呼接続状態とするなどの、ＤＵＴ２００の通信規格に対応した各種制御を行うための制御信号を含むものとする。また、上記の被測定信号は、本実施形態の無線端末測定装置１２０から出力された試験信号に対するＤＵＴ２００からの応答信号だけでなく、無線端末測定装置１２０からの試験信号とは無関係にＤＵＴ２００から出力される送信信号であってもよい。
【００７２】
なお、信号発生器４１及びシグナルアナライザ４２をそれぞれスロットＳＬ１〜ＳＬｎに複数個実装することにより、複数の試験信号をＤＵＴ２００に入力して、シグナルアナライザ４２でＤＵＴ２００から出力された複数の被測定信号を評価することも可能である。
【００７３】
以下、本実施形態の画面分割表示装置１０を用いる画面分割表示方法について、図９のフローチャートを参照しながら説明する。
【００７４】
まず、制御部１３は、スロットキー２２と機能ブロック表示ボタン２４を含むＧＵＩ（Graphical User Interface）を表示部１２に表示制御する（ステップＳ１）。
【００７５】
次に、図３に示すように、制御部１３は、ユーザによる操作部１４の操作により所望のスロットキー２２が押下されると、スロットキー２２により選択された測定モジュールＭの操作画面２１を、表示画面２０の複数の分割領域のいずれかに表示させる（ステップＳ２）。
【００７６】
次に、制御部１３は、操作部１４により機能ブロック表示ボタン２４が押下されたか否かを検出する（ステップＳ３）。
【００７７】
次に、制御部１３は、操作部１４により機能ブロック表示ボタン２４が押下された場合に、図４に示すように機能ブロック表示画面２５を表示部１２に表示させる（ステップＳ４）。
【００７８】
次に、制御部１３は、操作部１４により複数の機能ブロックのいずれかが選択されたか否かを検出する（ステップＳ５）。
【００７９】
次に、制御部１３は、操作部１４により複数の機能ブロックのいずれかが選択された場合に、機能ブロック表示画面２５を消去する（ステップＳ６）。
【００８０】
次に、図５に示すように、制御部１３は、操作部１４により選択された機能ブロックに対応する設定項目を含む操作画面２１を所定時間だけ表示部１２に１画面表示させる。このとき、制御部１３は、操作部１４により選択された機能ブロックに対応する設定項目の表示領域２６を強調表示させる（設定項目強調表示制御ステップＳ７）。
【００８１】
次に、図６に示すように、制御部１３は、ステップＳ２の段階で複数の分割領域に表示されていた全ての操作画面２１を復元する。このとき、図７に示すように、制御部１３は、操作部１４により選択された機能ブロックに対応する設定項目を含む操作画面２１を強調表示させる（操作画面強調表示制御ステップＳ８）。
【００８２】
以上説明したように、本実施形態に係る画面分割表示装置１０は、複数の分割領域に各測定モジュールＭの操作画面２１が表示されている状態から、機能ブロック表示画面２５において操作部１４により機能ブロックが選択されると、表示画面２０における複数の分割領域への分割を一時的に解除して、その機能ブロックに対応する設定項目を含む操作画面２１を１画面表示する。これにより、所望の設定項目がスクロールにより隠れることなく、表示画面２０上に確実に表示される。
【００８３】
また、本実施形態に係る画面分割表示装置１０は、操作画面２１の１画面表示から所定時間の経過後に、再び元の複数の分割領域と各分割領域に表示されていた操作画面２１を自動的に復元することができる。
【００８４】
また、本実施形態に係る画面分割表示装置１０は、１画面表示された操作画面２１において、操作部１４により選択された機能ブロックに対応する設定項目の表示領域２６を強調表示させるため、所望の機能ブロックの設定項目がどの操作画面２１内のどこにあるかをユーザに分かりやすく示すことができる。
【００８５】
また、本実施形態に係る画面分割表示装置１０は、分割領域の復元後に、操作部１４により選択された機能ブロックに対応する設定項目を含む操作画面２１を強調表示させるため、所望の機能ブロックの設定項目がどの操作画面２１にあるかをユーザに分かりやすく示すことができる。
【００８６】
また、本実施形態に係る画面分割表示装置１０は、分割領域の復元後に強調表示された操作画面２１において、操作部１４により選択された機能ブロックに対応する設定項目が隠れないように操作画面２１をスクロールするため、ユーザに対して所望の設定項目を見失わせることを回避する画面表示を行うことができる。
【００８７】
また、本実施形態に係る画面分割表示装置１０は、測定装置１００が有する複数の測定モジュールＭごとに、測定パラメータを設定することができる。
【００８８】
また、本実施形態に係る画面分割表示装置１０は、操作部１４を表示部１２の表示画面２０の表面に設けられたタッチパネルで構成することにより、装置の小型化を図れるとともに、良好な操作性を得ることができる。
【００８９】
また、本実施形態に係る測定装置１００は、測定試験に応じて、測定モジュールＭを適宜組み合わせて実装することを可能にする。
【００９０】
また、本実施形態に係る測定装置１００は、ＤＵＴ２００から出力される被測定信号に対して誤り率測定や品質評価を実行することができる。
【符号の説明】
【００９１】
１０  画面分割表示装置
１１  測定部
１２  表示部
１３  制御部
１３ａ  設定項目強調表示制御部
１３ｂ  操作画面強調表示制御部
１４  操作部
１５  シンセサイザ
１６  ジッタ変調源
１７  誤り検出器
１８  パルスパターン発生器
１９  ノイズ発生源
２０  表示画面
２１  操作画面
２２  スロットキー
２３  画面分割ボタン
２４  機能ブロック表示ボタン
２５  機能ブロック表示画面
２６  表示領域
２７  表示枠
２８  枠状画像
４１  信号発生器
４２  シグナルアナライザ
１００  測定装置
１１０  誤り検出装置
１２０  無線端末測定装置
２００  ＤＵＴ
Ｍ，Ｍａ〜Ｍｅ  測定モジュール
ＳＬ１〜ＳＬｎ  スロット
【図１】
2019082589.tif 000003
【図２】
2019082589.tif 000004
【図３】
2019082589.tif 000005
【図４】
2019082589.tif 000006
【図５】
2019082589.tif 000007
【図６】
2019082589.tif 000008
【図７】
2019082589.tif 000009
【図８】
2019082589.tif 000010
【図９】
2019082589.tif 000011